(57)【要約】【課題】文字入力が容易な、かつ、表示される文字が見易い、携帯電話機を提供する。【解決手段】本体２と、前記本体２の一側に設けられた表示部６と、前記本体２の他側に開閉可能に設けられた第１入力部７と、前記本体２の他側に設けられた第２入力部１３とを備え、前記第１入力部７はテンキーの入力が可能に構成され、前記第２入力部１３はローマ字入力が可能に構成された。また、望ましくは前記表示部６は、前記本体２の一側に開閉可能に設けられた。更に、前記第１入力部７の裏側に第３入力部１５を設け、前記第１入力部７が開かれた時、前記第３入力部１５はローマ字入力が可能に構成された。【選択図】      図１
2004228815.tif 000002
【特許請求の範囲】
【請求項１】
本体と、前記本体の一側に設けられた表示部と、前記本体の他側に開閉可能に設けられた第１入力部と、前記本体の他側に設けられた第２入力部とを備え、前記第１入力部はテンキーの入力が可能に構成され、前記第２入力部はローマ字入力が可能に構成された事を特徴とする携帯電話機。
【請求項２】
前記表示部は、前記本体の一側に開閉可能に設けられた事を特徴とする請求項１の携帯電話機。
【請求項３】
前記第１入力部の裏側に第３入力部を設け、前記第１入力部が開かれた時、前記第３入力部はローマ字入力が可能に構成された事を特徴とする請求項１又は請求項２の携帯電話機。
【請求項４】
前記第１入力部が閉じられた時、前記表示部は、一方向の表示を行い、前記第１入力部が開かれた時、前記表示部は、前記一方向と直交する他方向にて表示を行う事を特徴とする請求項１又は請求項２又は請求項３の携帯電話機。
【請求項５】
制御部と、前記第１入力部の開閉を検出するスイッチと、前記一方向の表示体および前記他方向の表示体を記憶する記憶部とを備え、前記第１入力部が閉じられた時、前記制御部は前記スイッチからの閉信号に従って、前記記憶部に対し、前記一方向の表示体の出力を可能とし、前記第１入力部が開かれた時、前記制御部は、前記スイッチからの開信号に従って、前記記憶部に対し前記他方向の表示体の出力を可能とする事を特徴とする請求項４の携帯電話機。
【発明の詳細な説明】
【０００１】
【発明の属する技術分野】
本発明は携帯電話機に関する。
【０００２】
【従来の技術】
従来、この種の携帯電話機は例えば、特許文献１に示されている。この特許文献１によると、本体と、本体の一側に開閉可能に設けられた表示部と、本体の他側に設けられた入力部等が設けられている。入力部には、テンキーと、通話キーと、ファンクションキーと、電話キー等が設けられている。
【０００３】
【特許文献１】
特開２００２−１９６９９９号公報
【０００４】
【発明が解決しようとする課題】
上記携帯電話機では、ファンクションキーやテンキーに入力して、外部との通話開始を行っている。また、テンキーに入力し、文字を入力し、メール等を送信している。
【０００５】
しかし、例えば、母音が「お」である文字１個を入力するのに、テンキーの各キーを５回押す必要が有る。この様に、従来の携帯電話機では、メール発信するための文字入力が煩雑である欠点が有る。故に、本発明はこの様な従来の欠点を考慮し、文字入力が容易な、かつ、表示される文字が見易い携帯電話機を提供する。
【０００６】
【課題を解決するための手段】
上記課題を解決するために、請求項１の本発明では、本体と、前記本体の一側に設けられた表示部と、前記本体の他側に開閉可能に設けられた第１入力部と、前記本体の他側に設けられた第２入力部とを備え、前記第１入力部はテンキーの入力が可能に構成され、前記第２入力部はローマ字入力が可能に構成された。
【０００７】
請求項２の本発明では、前記表示部は、前記本体の一側に開閉可能に設けられた。
【０００８】
請求項３の本発明では、前記第１入力部の裏側に第３入力部を設け、前記第１入力部が開かれた時、前記第３入力部はローマ字入力が可能に構成された。
【０００９】
請求項４の本発明では、前記第１入力部が閉じられた時、前記表示部は、一方向の表示を行い、前記第１入力部が開かれた時、前記表示部は、前記一方向と直交する他方向にて表示を行う。
【００１０】
請求項５の本発明では、制御部と、前記第１入力部の開閉を検出するスイッチと、前記一方向の表示体および前記他方向の表示体を記憶する記憶部とを備え、前記第１入力部が閉じられた時、前記制御部は前記スイッチからの閉信号に従って、前記記憶部に対し、前記一方向の表示体の出力を可能とし、前記第１入力部が開かれた時、前記制御部は、前記スイッチからの開信号に従って、前記記憶部に対し前記他方向の表示体の出力を可能とする。
【００１１】
【発明の実施の形態】
以下に図１に従い、本発明の実施の形態１に係る携帯電話機１を説明する。図１（ａ）は第１入力部を閉じている時の携帯電話機１の斜視図、図１（ｂ）は、入力部が開いている時の携帯電話機１の斜視図である。
【００１２】
図１において、本体２は例えばプラスチックから成り、側面から見れば、段が形成され、略箱状に形成されている。即ち、本体２の一側（上部）は、厚く形成され、他側（下部）は薄く形成され、裏面は同一平面に位置する様に、形成されている。
【００１３】
本体２の上部の適所には、開口部が形成され、その開口部の奥側にスピーカ３が配置されている。第１入力部７の下部の適所には、開口部が形成され、その開口部の奥側にマイク４が配置されている。アンテナ５は、本体２の上部から突出する様に配置されている。表示部６は例えば、液晶表示器から成り、本体２の一側（上部）に配置されている。
【００１４】
第１入力部７は例えば、通話キー８と、ファンクションキー９と、電源キー１０と、テンキー１１等から成る。第１入力部７は、テンキー１１の入力が可能に構成されている。第１入力部７は、本体２の他側（下部）に、ヒンジ１２を介して開閉可能に配置されている。
【００１５】
第２入力部１３は例えば、アルファベットを示すキー等から成り、本体２の他側（下部）の表面側に配置されている。この様に、第２入力部１３はローマ字入力が可能に構成されている。凸部１４は、第２入力部１３の表面から出没可能に設けられている。
【００１６】
第３入力部１５は例えば、アルファベットを示すキー等からなり、第１入力部７の裏側に配置されている。また、第３入力部１５は、本体２の他側（下部）にヒンジ１２を介し、開閉可能に配置されている（図１（ｂ）参照）。この様に、第３入力部１５はローマ字入力が可能に構成されている。
【００１７】
また、第２入力部１３および第３入力部１５により、アルファベットを示すキーの配列は例えば、パーソナルコンピュータのキーボードのキーの配列と同じであり、ＪＩＳに基づく配列と同じである。
【００１８】
次に、図２のブロック図に従い、この携帯電話機１の電気的構成を説明する。図２において、アンテナ５は無線モジュール１６に接続されている。無線モジュール１６は、デュプレクサと、送信部と、受信部（共に図示せず）から構成されている。デュプレクサの片側はアンテナ５に接続され、他側は送信部の片側および受信部の片側に接続されている。送信部の他側および受信部の他側は、ＣＰＵバス１７に接続されている。
【００１９】
送信部は、ベースバンド信号で高周波信号を変調する変調器と、変調器の出力を周波数シンセサイザの出力と混合し、無線周波数に変換するミキサと、無線周波数を増幅する増幅器（いずれも図示せず）とから構成され、無線信号を送信する。
【００２０】
受信部は、高周波増幅器と、ミキサと、増幅器と、復調器とから構成され、入力された無線信号を増幅し、復調する機能を有する。この様に、無線モジュール１６は、無線信号を送受信するものである。
【００２１】
ＣＯＤＥＣ１８は、ベースバンド回路と、ＤＳＰと、Ａ−Ｄ変換器と、ＡＦ回路（いずれも図示せず）等から構成されている。制御部１９はＣＰＵ等からなりＣＰＵバス１７を有している。
【００２２】
マイク４は音声を電気信号に変換し、ＣＯＤＥＣ１８に対し、送信する。スピーカ３は、ＣＯＤＥＣ１８からの電気信号を音声に変換し、出力する。
【００２３】
ＲＯＭ２０は、制御部１９の制御プログラムが記憶されており、ＣＰＵバス１７に接続されている。ＲＡＭ２１は、携帯電話機１の動作に必要なデータが記憶されており、ＣＰＵバス１７に接続されている。
【００２４】
この様に、無線モジュール１６と、ＣＯＤＥＣ１８と、ＲＯＭ２０と、ＲＡＭ２１と、第１入力部７と、第２入力部１３と、第３入力部１５と、表示部６と、ブザー２２は各々、ＣＰＵバス１７に接続されている。
【００２５】
スイッチ２３は例えば、凸部１４と、スイッチ部（図示せず）等からなる。スイッチ部の一側は電源部（図示せず）に接続され、他側はＣＰＵバス１７に接続されている。
【００２６】
凸部１４が押されると「没入位置」に設定され、スイッチ部が閉成され、ＣＰＵバス１７を介して、制御部１９に対して、閉信号を出力する。スイッチ２３は第１入力部７の開閉を検出するものである。
【００２７】
即ち、第１入力部７が閉じられた時、スイッチ２３は制御部１９に対して、閉信号（Ｈｉレベル信号）を出力する。また、第１入力部７が開かれた時、凸部１４は「突出位置」に設定され、スイッチ部が開成され、スイッチ２３は制御部１９に対して、開信号（Ｌｏレベル信号）を出力する。
【００２８】
記憶部２４は例えばフラッシュロム等からなり、ビットマップデータが記憶されており、ＣＰＵバス１７に接続されている。
【００２９】
記憶部２４の例えば０番地〜５００番地において、一方向の表示体（例えば横表示であり、図１（ａ）参照）が記憶されている。記憶部２４の例えば、１０００番地〜１５００番地において、一方向と直交する他方向の表示体（例えば縦表示であり、図１（ｂ）参照）が記憶されている。この様に記憶部２４は、一方向の表示体および他方向の表示体とを記憶している。
【００３０】
次に、図１と図２に従い、携帯電話機１の動作を説明する。これらの図において、通信動作の場合、使用者は第１入力部７を閉じる。この様に、第１入力部７が閉じられた時、制御部７はスイッチ２３からの閉信号に従って、記憶部２４に対し、一方向の表示体の出力を可能な状態に設定する。
【００３１】
そして、使用者が第１入力部７に対し、所望のテンキー１１の入力を行うと、所望の相手先に対し、通信が可能となる。この時、表示部６は一方向の表示（例えば横表示）を行う。この様に、第１入力部７のテンキー１１の表示方向（１，２、・・・、０等の横表示）と、表示部６の表示方向が一致しているので、使用者は表示部６の表示（例えば、図１（ａ）のＡＢＣ・・・等）を見易くなる。
【００３２】
次に、メール送信の場合、使用者は第１入力部７を開く。第１入力部７が開かれた時、制御部１９はスイッチ２３からの開信号に従って、記憶部２４に対し、他方向の表示体の出力を可能な状態に設定する。
【００３３】
そして、使用者が第２入力部１３および第３入力部１５に対し、所望のローマ字入力を行うと、所望のメール文章が作成される。この時、表示部６は他方向の表示（例えば縦表示）を行う。
【００３４】
この様に、第２入力部１３および第３入力部１５の表示方向（Ｑ，Ｗ，Ｅ，・・・等の表示方向）と、表示部６の表示方向が一致しているので、使用者は表示部６の表示（例えば、図１（ｂ）のＡＢＣＤ・・・等）を見易くなる。
【００３５】
この様にして、使用者はメール（文章）を作成した後、第１入力部７を閉じ（図１（ａ）参照）、メールアドレスを入力し、送信操作を行う。その結果、作成された上記メールは、所望の相手先に送信される。
【００３６】
次に、図３に従い、本発明の実施の形態２に係る携帯電話機１ａを説明する。図３（ａ）は第１入力部を閉じている時の携帯電話機１ａの斜視図、図３（ｂ）は、第１入力部が開いている時の携帯電話機１ａの斜視図である。
【００３７】
図３において、本体２ａは例えばプラスチックから成り、側面から見れば、段が形成され、略箱状に形成されている。即ち、本体２ａの一側（上部）は、厚く形成され、他側（下部）は薄く形成され、裏面は同一平面に位置する様に、形成されている。
【００３８】
表示部６ａの上部の適所には、開口部が形成され、その開口部の奥側にスピーカ３ａが配置されている。第１入力部７ａの下部の適所には、開口部が形成されその開口部の奥側にマイク４ａが配置されている。アンテナ５ａは、表示部６ａの上部から突出する様に配置されている。表示部６ａは例えば、液晶表示器から成り、本体２ａの一側（上部）に、第１ヒンジ２５を介して、開閉可能に、配置されている。
【００３９】
第１入力部７ａは例えば、通話キー８ａと、ファンクションキー９ａと、電源キー１０ａと、テンキー１１ａ等から成る。第１入力部７ａは、テンキー１１ａの入力が可能に構成されている。第１入力部７ａは、本体２ａの他側（下部）に、第２ヒンジ１２ａを介して開閉可能に配置されている。
【００４０】
第２入力部１３ａは例えば、アルファベットを示すキー等から成り、本体２ａの他側（下部）の表面側に配置されている。この様に、第２入力部１３ａはローマ字入力が可能に構成されている。凸部１４ａは、第２入力部１３ａの表面から出没可能に設けられている。
【００４１】
第３入力部１５ａは例えば、アルファベットを示すキー等からなり、第１入力部７ａの裏側に配置されている。また、第３入力部１５ａは、本体２ａの他側（下部）に第２ヒンジ１２ａを介して、開閉可能に配置されている（図３（ｂ）を参照）。この様に、第３入力部１５ａはローマ字入力が可能に構成されている。
【００４２】
また、第２入力部１３ａおよび第３入力部１５ａにより、アルファベットを示すキーの配列は例えば、パーソナルコンピュータのキーボードのキーの配列と同じであり、ＪＩＳに基づく配列と同じである。
【００４３】
また、電気的構成は、図２のものと同じである。以上の部品により、この携帯電話機１ａは構成されている。
【００４４】
次に、図３に従い、携帯電話機１ａの動作を説明する。上述した様に、表示部６ａは、本体２ａの一側に開閉可能に設けられている。従って、使用者は、本体２ａに対する表示部６ａの傾き角度を任意に設定できるので、使用者は自分の好きな角度にて表示部６ａを傾斜できる。その結果、使い勝手が向上する。
【００４５】
なお、この携帯電話機１ａにおける、通信動作およびメール送信動作は、携帯電話機１における動作と同一である。
【００４６】
【発明の効果】
請求項１の本発明では、本体と、前記本体の一側に設けられた表示部と、前記本体の他側に開閉可能に設けられた第１入力部と、前記本体の他側に設けられた第２入力部とを備え、前記第１入力部はテンキーの入力が可能に構成され、前記第２入力部はローマ字入力が可能に構成された。上記構成により、テンキーの入力により通信動作が動作し、ローマ字入力により、メール作成が容易となる（１字の文字を表示させるのに、１〜２回のキー操作で済む）。
【００４７】
請求項２の本発明では、前記表示部は、前記本体の一側に開閉可能に設けられた。上記構成により、使用者は自分の好きな角度にて表示部を傾斜できる。その結果、使い勝手が向上する。
【００４８】
請求項３の本発明では、前記第１入力部の裏側に第３入力部を設け、前記第１入力部が開かれた時、前記第３入力部はローマ字入力が可能に構成された。上記構成により、第１入力部が開かれた時、第２入力部および第３入力部は連なってローマ字入力ができるので、入力部分のスペースが大きくなり、ローマ字入力がし易くなる。
【００４９】
請求項４の本発明では、前記第１入力部が閉じられた時、前記表示部は、一方向の表示を行い、前記第１入力部が開かれた時、前記表示部は、前記一方向と直交する他方向にて表示を行う。上記構成により、テンキー入力の場合、テンキーの表示方向に表示部の表示方向を合わせ、ローマ字入力の場合は、ローマ字の表示方向に表示部の表示方向を合わせる事ができ、表示が見易くなる。
【００５０】
請求項５の本発明では、制御部と、前記第１入力部の開閉を検出するスイッチと、前記一方向の表示体および前記他方向の表示体を記憶する記憶部とを備え、前記第１入力部が閉じられた時、前記制御部は前記スイッチからの閉信号に従って、前記記憶部に対し、前記一方向の表示体の出力を可能とし、前記第１入力部が開かれた時、前記制御部は、前記スイッチからの開信号に従って、前記記憶部に対し前記他方向の表示体の出力を可能とする。上記構成により、制御部の指示により、記憶部は一方向の表示体の出力又は他方向の表示体の出力を自動的に選択するので、手動選択する煩わしさを解消できる。
【図面の簡単な説明】
【図１】図１（ａ）は、第１入力部が閉じている時の、本発明の実施の形態１に係る携帯電話機１の斜視図、図１（ｂ）は、第１入力部が開いている時の、携帯電話機１の斜視図である。
【図２】上記携帯電話機１の電気ブロック図である。
【図３】図３（ａ）は、第１入力部が閉じている時の、本発明の実施の形態２に係る携帯電話機１ａの斜視図、図３（ｂ）は、第１入力部が開いている時の、携帯電話機１ａの斜視図である。
【符号の説明】
２  本体
６  表示部
７  第１入力部
１３  第２入力部
【図１】
2004228815.tif 000003
【図２】
2004228815.tif 000004
【図３】
2004228815.tif 000005